(57)【特許請求の範囲】
【請求項１】
優先順位に基づき画面に表示する表示情報を切り替えて表示するナビゲーション装置において、
前記表示情報を提供する提供装置の位置を取得する提供装置位置取得手段と、
車両の位置と連携して前記表示情報を生成させる連携対象情報を記憶する地図情報記憶手段と、
現在位置よりも進行方向前方の車両の予測ルートを予測する自車位置予測手段と、
前記予測ルートに存在する、前記提供装置又は前記連携対象情報を検出し、複数の前記表示情報が重複して表示される重複表示区間がある場合、前記提供装置又は前記連携対象情報にかかる前記表示情報の表示位置に到達する前に、前記重複表示区間に表示する前記表示情報を決定して表示スケジュールを生成する表示情報スケジューリング手段と、
前記表示情報の表示位置に到達した場合、前記表示スケジュールに従い前記表示情報を表示する表示制御部と、を有し、
前記表示情報スケジューリング手段は、
前記重複表示区間に表示される前記表示情報のうち、手前側で表示される前記表示情報の優先順位が低い場合、手前側の前記表示情報を表示しないように前記表示スケジュールに登録し、
前記表示スケジュールには、前記表示位置に対応づけて表示する前記表示情報が登録されており、
前記表示情報が、予め定められた所定の時間のみ表示される場合、前記表示情報の前記表示位置は、所定の車速と前記時間から求められた走行距離に基づき定められ、
前記表示制御部は、前記重複表示区間に表示される前記表示情報のうち優先順位が高い前記表示情報が表示されない場合、優先順位が低いため表示しないように表示スケジュールされた優先順位の低い方の前記表示情報を表示する、
ことを特徴とするナビゲーション装置。
【請求項２】
前記表示情報スケジューリング手段は、
前記重複表示区間に表示される前記表示情報のうち、手前側で表示される前記表示情報の優先順位が高い場合、前方側の前記表示情報の表示を開始する位置を、前記重複表示区間の終了位置より前方に移動するよう前記表示スケジュールに登録する、
ことを特徴とする請求項１記載のナビゲーション装置。
【請求項３】
前方に移動された前記表示情報を、移動後の位置に応じて変更する表示変更部、を有することを特徴とする請求項２記載のナビゲーション装置。
【請求項４】
前方に移動された前記表示情報が音声メッセージを伴う場合、前記表示変更部は前記表示情報と同じ内容に前記音声メッセージを変更する、
ことを特徴とする請求項３記載のナビゲーション装置。
【請求項５】
優先順位に基づき画面に表示する表示情報を切り替えて表示するナビゲーション装置の表示情報調停方法において、
提供装置位置取得手段が、前記表示情報を提供する提供装置の位置を取得するステップと、
自車位置予測手段が、現在位置よりも進行方向前方の車両の予測ルートを予測するステップと、
表示情報スケジューリング手段が、前記予測ルートに存在する前記提供装置、又は、車両の位置と連携して前記表示情報を生成させる連携対象情報を地図情報記憶手段から前記連携対象情報を検出し、複数の前記表示情報が重複する重複表示区間がある場合、前記提供装置又は前記連携対象情報にかかる前記表示情報の表示位置に到達する前に、前記重複表示区間に表示する前記表示情報を決定して表示スケジュールを生成するステップと、
表示制御部が、前記表示情報の表示位置に到達した場合、前記表示スケジュールに従い前記表示情報を表示するステップと、を有し、
前記表示情報スケジューリング手段は、
前記重複表示区間に表示される前記表示情報のうち、手前側で表示される前記表示情報の優先順位が低い場合、手前側の前記表示情報を表示しないように前記表示スケジュールに登録し、
前記表示スケジュールには、前記表示位置に対応づけて表示する前記表示情報が登録されており、
前記表示情報が、予め定められた所定の時間のみ表示される場合、前記表示情報の前記表示位置は、所定の車速と前記時間から求められた走行距離に基づき定められ、
前記表示制御部は、前記重複表示区間に表示される前記表示情報のうち優先順位が高い前記表示情報が表示されない場合、優先順位が低いため表示しないように表示スケジュールされた優先順位の低い方の前記表示情報を表示する、
ことを特徴とする表示情報調停方法。
【発明の詳細な説明】
【技術分野】
【０００１】
本発明は、道路地図等の表示情報を切り替えて表示するナビゲーション装置等に関し、特に、位置や受信した情報に応じて表示情報を動的に切り替えるナビゲーション装置及び表示情報調停方法に関する。
【背景技術】
【０００２】
ＶＩＣＳ（Vehicle  Information  and  Communication  System）センタでは、渋滞情報などのＶＩＣＳ情報を逐次収集し、路側に設けられたビーコン発信装置５０からリアルタイムにＶＩＣＳ情報を配信している。車両のナビゲーション装置はＶＩＣＳ情報の受信装置を備えており、ＶＩＣＳが配信する情報を画面に表示したり、ＶＩＣＳ情報と連携して道路地図上に渋滞した道路を色を変えて表示したりすることができる。
【０００３】
ところで、ナビゲーション装置の表示装置には道路地図だけでなく種々のＶＩＣＳ情報、テレビやＤＶＤ等を表示できるようになっていることがあり、表示可能な情報に予め優先順位を与えておき、すでに表示している情報よりも優先順位のより高い情報の表示要求があった場合に情報を切り換えて表示するナビゲーション装置が提案されている（例えば、特許文献１参照。）。特許文献１記載のナビゲーション装置では、車両の異常など優先順位の高い情報を優先的に表示することができる。
【０００４】
このため、走行中にビーコン発信装置５０を通過すると、それまで表示していた道路地図に優先して、受信したＶＩＣＳ情報を運転者の操作なしに表示することができる。しかしながら、路側に設けられたビーコン発信装置５０は主要な道路に配置されているものの、配置位置は不規則である。このため、車両がビーコン発信装置５０からＶＩＣＳ情報を受信する度に、道路地図が頻繁にＶＩＣＳ情報に切り替わってしまうことになってしまう。
【０００５】
図１は、ＶＩＣＳセンタから配信されたＶＩＣＳ情報の表示切り替えの一例を説明する図である。車両４０はリンク１、リンク２及びリンク３を走行する。リンク２の進入口にはビーコン発信装置５０が設けられており、リンク２〜４以降の渋滞や旅行時間などのＶＩＣＳ情報を配信している。車両４０のナビゲーション装置は、ビーコン発信装置５０からＶＩＣＳ情報を受信すると、交差点８０の手前Ｌ〔ｍ〕までＶＩＣＳ情報を表示し、その後、交差点８０が接近するとより優先順位の高いルート案内に切り換える。交差点８０を通過した後は例えばリンク１で表示していた画面（地図画面、音楽再生画面等）に切り替わる。ＶＩＣＳ情報はそれほど長い間表示されるものではないので、画面上はＶＩＣＳ情報とルート案内とが頻繁に切り替わる印象を乗員に与え、煩わしさを感じさせることになる。
【０００６】
この点について、ＶＩＣＳ情報に道路の渋滞又は混雑を表す渋滞情報が含まれている場合にのみ、ビーコン発信装置５０から受信したＶＩＣＳ情報を優先して表示するナビゲーション装置が提案されている（例えば、特許文献２参照。）。特許文献２記載のナビゲーション装置によれば、進行方向に渋滞又は混雑した道路がなければ、画面が頻繁に切り替わることを防止できる。
【特許文献１】特開平１０−１０４００５号公報
【特許文献２】特開２０００−２５０４０７号公報
【発明の開示】
【発明が解決しようとする課題】
【０００７】
しかしながら、特許文献２記載のナビゲーション装置では、ＶＩＣＳ情報に道路の渋滞又は混雑を表す渋滞情報が含まれている場合には、渋滞案内とルート案内とが頻繁に切り替わってしまうという問題がある。
【０００８】
本発明は、上記課題に鑑み、情報の優先順位のみに従うことなく情報を見やすく表示するナビゲーション装置及び表示情報調停方法を提供することを目的とする。
【課題を解決するための手段】
【０００９】
上記課題に鑑み、本発明は、優先順位に基づき画面に表示する表示情報を切り替えて表示するナビゲーション装置において、前記表示情報を提供する提供装置の位置を取得する提供装置位置取得手段と、車両の位置と連携して前記表示情報を生成させる連携対象情報を記憶する地図情報記憶手段と、現在位置よりも進行方向前方の車両の予測ルートを予測する自車位置予測手段と、前記予測ルートに存在する、前記提供装置又は前記連携対象情報を検出し、複数の前記表示情報が重複して表示される重複表示区間がある場合、前記提供装置又は前記連携対象情報にかかる前記表示情報の表示位置に到達する前に、前記重複表示区間に表示する前記表示情報を決定して表示スケジュールを生成する表示情報スケジューリング手段と、前記表示情報の表示位置に到達した場合、前記表示スケジュールに従い前記表示情報を表示する表示制御部と、を有し、前記表示情報スケジューリング手段は、
前記重複表示区間に表示される前記表示情報のうち、手前側で表示される前記表示情報の優先順位が低い場合、手前側の前記表示情報を表示しないように前記表示スケジュールに登録し、前記表示スケジュールには、前記表示位置に対応づけて表示する前記表示情報が登録されており、前記表示情報が、予め定められた所定の時間のみ表示される場合、前記表示情報の前記表示位置は、所定の車速と前記時間から求められた走行距離に基づき定められ、前記表示制御部は、前記重複表示区間に表示される前記表示情報のうち優先順位が高い前記表示情報が表示されない場合、優先順位が低いため表示しないように表示スケジュールされた優先順位の低い方の前記表示情報を表示する、ことを特徴とする。
【００１０】
本発明によれば、表示情報が重複する表示区間に表示する情報を予め表示スケジュールに登録しておくことで、自然で見やすく表示情報を表示することができる。
本発明によれば、優先順位が低い表示情報が表示された状態で優先順位の高い表示情報を提供する地物と遭遇しても、優先順位が高い表示情報に切り替わらないので、乗員の違和感の少ない表示が可能となる。
【発明の効果】
【００１３】
情報の優先順位のみに従うことなく情報を見やすく表示するナビゲーション装置及び表示情報調停方法を提供することができる。
【発明を実施するための最良の形態】
【００１４】
以下、本発明を実施するための最良の形態について図面を参照しながら説明する。
【００１５】
図２は、本実施形態のナビゲーション装置による画面表示制御を説明する図である。車両４０のナビゲーション装置は、予め画面表示の切り替えをスケジューリングした表示スケジュールを記憶している。表示スケジュールは、進行方向に存在する画面切り替え地物を読み出して決定される。画面切り替え地物は、ＶＩＣＳ情報を配信するビーコン発信装置５０及び路車間通信のための路側装置７０等、表示情報を提供する提供装置と、交差点８０等の地形及び学校６０等の施設等、車両４０の位置と連携して表示情報を生成させる地図連携対象である。
【００１６】
このように地上（地下でもよい）に固定され画面の強制的な切り替えに影響する地物が画面切り替え地物となる。ナビゲーション装置１００は、画面切り替え地物の存在を先読みし、短時間に表示情報が切り替わらないように位置毎の表示情報を予めスケジューリングしておく。
【００１７】
図２では、ビーコン発信装置５０の存在する位置ではＶＩＣＳ情報が表示情報に、路側装置７０が存在する位置ではブラインドコーナの渋滞などの周辺情報が表示情報に、所定の地形の存在する位置では案内情報（例えば、交差点用の表示画面、ルート案内等）が表示情報に、学校６０等の施設の存在する位置又はその手前ではスクールゾーンを知らせる施設情報が表示情報になる。
【００１８】
車両４０がリンク１〜４の道路を走行する場合、進行方向にはビーコン発信装置５０、交差点８０、学校６０及び路側装置７０、の画面切り替え地物が存在する。ナビゲーション装置１００には予め、画面切り替え地物により表示される表示情報の優先順位が決定されているので、優先順位に従った場合に表示区間が重複した表示情報が短時間に切り替わるか否かを判定し、切り替わるのであれば切り替わらないように車両４０の位置に表示情報を対応づけてスケジューリングする。
【００１９】
図１で説明したように、案内情報の優先順位がＶＩＣＳ情報よりも高い場合、交差点８０より所定距離（例えば３００ｍ）手前でＶＩＣＳ情報から案内情報に表示情報が切り替わってしまう。そこで、ナビゲーション装置１００は、位置Ａ〜Ｂでは優先割り込み禁止、位置Ｂ〜Ｃでは案内情報、というように表示情報をスケジューリングする。優先割り込み禁止は、表示切り替え地物による表示情報の切り替えを禁止する制御情報になるので、位置Ａでナビゲーション装置１００がＶＩＣＳ情報を受信しても位置Ａ〜ＢではＶＩＣＳ情報が表示されない。そして、表示スケジュールに従い、車両４０が位置Ｂに到達すると案内情報が表示される。なお、優先割り込み禁止が対応づけられた位置Ａ〜Ｂの区間では、それまでユーザが画面に表示していた表示情報（地図画面、音楽再生画面等）が継続して表示される。
【００２０】
このように予め表示情報をスケジューリングしておくことで、画面に表示される表示情報が短時間で切り替わることを防止し、自然で見やすい割込み表示を実現できる。
【００２１】
また、左方向の進行方向の前方（車両１１から見てより前方）には学校６０があるので、ナビゲーション装置１００は位置Ｅ〜位置Ｆの区間では施設情報を表示するようスケジューリングし、右方向の進行方向の前方には路側装置７０があるので、位置Ｃ〜位置Ｄの区間では周辺情報が表示されるようスケジューリングする。
【００２２】
このように、交差点８０により進行方向が分岐していても、進行方向の所定距離内（例えば、１０００ｍ）であれば取り得るルートの全てに対し表示情報をスケジューリングすることができる。したがって、ナビゲーション装置１００に目的地までのルートが設定されている必要がない。しかしながら、目的地までのルートが設定されている場合、目的地が設定されていない場合よりも、目的地までのルートを案内する案内情報は、目的地が設定されていない場合よりも優先順位が高くなる場合がある。すなわち、目的地が設定されている否かは表示情報の優先順位の違いとして取り扱うことができる。
【００２３】
図３は、ナビゲーション装置１００のハードウェアブロック図を示す。ナビゲーション装置１００はナビ制御部２０により制御され、ナビ制御部２０は、ＣＡＮ（Controller  Area  Network）等の車内ＬＡＮや専用線を介してＧＰＳ受信機１１、車速センサ１２、ジャイロセンサ１３、地図ＤＢ（Data  Base）１４、入力部１５、通信装置１６、ＶＩＣＳ受信装置１７、ビーコン発信装置位置ＤＢ１９、路側装置位置ＤＢ２１、スピーカ２２及びディスプレイ２３と接続されている。
【００２４】
ＧＰＳ受信機１１は、地球の周りを周回する好ましくは４つ以上のＧＰＳ衛星を捕捉して、各ＧＰＳ衛星からの電波の到達時間に基づき車両４０の位置（緯度・経度・標高）を決定する。車速センサ１２は、例えば、車両４０の各輪に備えられたロータの円周上に定間隔で設置された凸部が通過する際の磁束の変化をパルスとして計測して、単位時間あたりのパルス数に基づき各輪毎に車輪速を計測する。車輪速にタイヤの外径を乗じれば車速が得られる。ジャイロセンサ１３は、例えばマイクロマシニングで形成された震動片型ジャイロセンサであり、コリオリ力の作用により変化する震動片（電極間）の距離に基づき車両４０が路面に対しヨーイング方向又はピッチング方向に回転する時の角速度を検知する。検知結果を積分することで角度、すなわち３軸方向の進行方向に変換する。
【００２５】
地図ＤＢ１４は、実際の道路網に対応したノード(道路と道路が交差する点、例えば交差点)と、リンク(ノードとノードを接続する道路)とを対応づけたテーブル状のデータベースである。したがって、ノードとリンクを辿ることで道路網を形成できる。また、地図ＤＢ１４には、幼稚園や学校６０の位置、事故の多発位置、一方通行や右折禁止等の交通規制情報が位置に対応づけて記憶されている。なお、地図ＤＢ１４に記憶される道路地図情報は、所定のサーバからダウンロードして記憶してもよい。
【００２６】
入力部１５は、乗員がナビゲーション装置１００を操作する操作情報を入力するユーザインターフェイスとなる。例えば、押しボタン式のキーボード、乗員の発した音声を入力する音声認識装置、ディスプレイ２３に形成されたタッチパネル等である。また、ディスプレイ２３はヘッドアップディスプレイや液晶ディスプレイなどであり、上述した各種の表示情報、道路地図、テレビ等の映像を表示するために用いられる。また、スピーカ２２は、例えば交差点８０の手前でディスプレイ２３に表示される案内情報と同期して右左折等を指示する音声メッセージを出力する。
【００２７】
通信装置１６は、携帯電話の基地局や無線ＬＡＮ等のアクセスポイントに接続してサーバ２００と通信し、種々の情報を送受信する。本実施形態では、通信装置１６から、ビーコン発信装置５０の位置情報、路側装置７０の位置情報を送信することでサーバ２００に登録する。また、サーバ２００は多数の車両４０からビーコン発信装置５０等の位置情報を受信しているので、例えば車両４０からの要求に応じてビーコン発信装置５０の位置情報を車両４０に送信する。
【００２８】
ＶＩＣＳ受信装置１７は、ＶＩＣＳセンターが配信するＶＩＣＳ情報を受信する。ＶＩＣＳセンターは、ＦＭ多重放送、光ビーコン及び電波ビーコンの３つのメディアでＶＩＣＳ情報を配信する。ＶＩＣＳ受信装置１７は、ＦＭ放送に多重された電波、電波ビーコン及び光ビーコンを復調し、ベースバンド信号に戻した後、信号処理して元のデジタル信号に復号することでＶＩＣＳ情報を受信する。それぞれのメディア毎に、配信するＶＩＣＳ情報の種類やカバーするエリアが異なるが、例えば、ＶＩＣＳ情報はＶＩＣＳセンターが区分したＶＩＣＳリンクに対応づけられた、渋滞情報、リンク旅行時間、交通規制情報、駐車場情報、等である。ＦＭ電波によるＶＩＣＳ情報は広域の情報なので緊急性が低い。このため、ナビゲーション装置１００が割り込み表示するのは電波ビーコン及び光ビーコンにより送信されたＶＩＣＳ情報である。なお、ＶＩＣＳは走行中の車両４０に走行に係る情報を配信するシステムの一例であり、配信の事業主体や配信する情報の内容を限定するものではない。
【００２９】
路車間通信部１８は、例えば路側装置７０との距離が所定以内の場合に通信する狭域通信（ＤＳＲＣ（Dedicated  Short  Range  Communication））を実現する。例えば自動車専用道の料金所に設けられた通信装置と通信するため車両４０がＥＴＣ（Electronic  Toll  Collection  System）装置を搭載している場合、路車間通信部１８はこれと兼用してもよい。路車間通信部１８は、路側装置７０との通信エリアに入ると自動的に通信を開始し、例えば５．８ＧＨｚ帯の搬送波をＡＳＫ変調やＱＰＳＫ変調して、ベースバンド信号を取り出しこれにプロトコル処理等の信号処理を施し周辺情報を取得する。なお、路車間通信部１８による通信は一つの形態に限らず、比較的狭域で通信するブルートゥース、ワイヤレスＵＳＢ等であってもよい。
【００３０】
ビーコン発信装置位置ＤＢ１９及び路側装置位置ＤＢ２１は、ハードディスクドライブやフラッシュメモリ等のメモリで構成された記憶手段である。ビーコン発信装置位置ＤＢ１９にはビーコン発信装置５０の位置情報が記憶され、路側装置位置ＤＢ２１は路側装置７０の位置情報が記憶されている。
【００３１】
ナビ制御部２０は、ＣＰＵ、ＲＯＭ、ＲＡＭ、不揮発メモリ、ＣＡＮ通信部及び入出力インターフェイス等を有するコンピュータであって、ＣＰＵがプログラムを実行するかＡＳＩＣ（Application  Specific  Integrated  Circuit）等の演算回路により実現される、情報提供装置位置取得部３１、自車位置予測部３２、表示情報スケジューリング部３３、表示制御部３４及び表示・音声変更部３５を有する。
【００３２】
図４は、ナビ制御部２０のブロック図の一例を示す。図４において図３と同一構成部には同一の符号を付しその説明は省略する。情報提供装置位置取得部３１は、ビーコン発信装置５０や路側装置７０等、表示情報を提供する提供装置の位置情報を取得するもので、その態様に応じて位置学習部３１１、サーバ情報受信部３１２及び路側装置位置受信部３１３を有する。
【００３３】
位置学習部３１１は、ビーコン発信装置５０の敷設された道路を実際に走行し、ＶＩＣＳ受信装置１７がＶＩＣＳ情報を受信した場合に、ビーコン発信装置５０の位置をビーコン発信装置位置ＤＢ１９に登録する。また、路側装置７０の敷設された道路を実際に走行し、ＶＩＣＳ受信装置１７がＶＩＣＳ情報を受信した場合に、路側装置７０の位置を路側装置位置ＤＢ２１に登録する。したがって、ビーコン発信装置５０又は路側装置７０の敷設された道路を一度走行すれば、これらの位置情報を取得することができる。また、各車両４０が取得した位置情報は通信装置１６を介してサーバ２００に送信されるので、サーバ２００には車両４０が実際に走行していない道路に敷設されたビーコン発信装置５０及びＶＩＣＳ受信装置１７の位置情報が記憶されている。
【００３４】
サーバ情報受信部３１２は、サーバ２００からこの位置情報を取得する。サーバ情報受信部３１２は、例えば定期的に進行方向の所定範囲にあるビーコン発信装置５０及びＶＩＣＳ受信装置１７の位置情報を要求してサーバ２００から受信する。受信した位置情報をビーコン発信装置位置ＤＢ１９及び路側装置位置ＤＢ２１に登録する。
【００３５】
路側装置位置受信部３１３は、路側装置７０から、進行方向前方の路側装置７０の位置情報を取得する。これにより、路側装置７０が敷設された道路では進行方向前方の路側装置７０の位置情報を取得できるので、路側装置７０に限れば位置の学習やサーバ２００から位置情報を取得する必要がない。受信した位置情報は路側装置位置ＤＢ２１に登録してもよい。
【００３６】
自車位置予測部３２は、車両４０の現在位置を検出すると共に、現在位置と進行方向から車両４０が走行する予測ルートを予測する。上述したように、目的地までのルートが設定されていなくても表示スケジュールの生成を可能とするため、例えば進行方向前方１０００〔ｍ〕程度の範囲で、取り得る全ての予測ルートを抽出する。この予測ルート情報は表示情報スケジューリング部３３に送出される。予測ルート情報は、例えば所定距離毎の位置情報、時系列のリンク番号等である。
【００３７】
優先順位に応じた表示情報のスケジューリングについて図５に基づき説明する。仮に表示情報のスケジューリングをしないとすると、表示情報が切り替わる態様で最も多いのは、優先順位の低い表示情報が表示されている最中により優先順位の高い表示情報が表示される場合である。したがって、自車位置予測部３２が予測した予測ルートにある、ビーコン発信装置５０等の画面切り替え地物を読み出し、優先順位の低い表示情報が表示されている区間に、より優先順位の高い表示情報が表示される場合に表示情報をスケジューリングすればよい。以下、表示情報Ａの優先順位が表示情報Ｂよりも低いとして説明する。
【００３８】
・表示情報Ａが手前側にある場合（図５（ａ））
表示情報スケジューリング３３は、表示スケジュールの表示情報Ａが表示される区間に「優先割り込み禁止」を登録する。図５（ａ）の場合、表示情報Ａは表示されないが、例えば受信してから所定時間はユーザ操作により表示することができる。
区間Ｉ〜II：優先割込み禁止
区間II〜IV：表示情報Ｂ
なお、図５（ａ）のように表示スケジュールを設定しても、実際に走行した場合に位置II（例えば、交差点の手前３００ｍ）で表示情報が始まらない場合がある。このような場合、区間Ｉ〜IVで表示情報ＡもＢのいずれも表示されなくなってしまうので、走行した際に表示情報Ｂがなかった場合、ナビゲーション装置１００は図５（ａ）’に示すように、位置IIから表示情報Ａを表示する。これにより、表示情報Ａが受信されても表示されないことを防止できる。この場合、表示・音声変更手段３５は必要であれば表示情報Ａの内容を変更する。
・表示情報Ｂが手前側にある場合（図５（ｂ））
表示情報スケジューリング３３は、表示情報Ｂが表示される区間についで、表示スケジュールの表示情報Ａを表示する区間に「優先割り込み禁止」を登録する。この場合、当初のナビゲーション装置１００の設定によっては、表示情報のスケジューリングをしない場合と変わりはない。また、この場合、表示情報の内容によっては、表示情報Ａの表示時間が短くならないように表示情報Ａの表示の終了位置を後方にずらすことが好ましい。
区間Ｉ〜III：表示情報Ｂ
区間III〜IV：表示情報Ａ
・表示情報Ａが手前側にあるが、区間が重複しない場合（図５（ｃ））
表示情報スケジューリング３３は、表示情報をスケジューリングする必要はない。
・表示情報Ａと表示情報Ｂの優先順位が同じ場合（図５（ｄ））
表示情報スケジューリング３３は、先に表示される表示情報Ａを継続して表示し、表示情報Ｂは表示情報Ａについで表示するようスケジューリングする。この場合、表示・音声変更手段３５は必要であれば表示情報Ａの内容を変更する。また、この場合、表示情報Ｂの表示時間が短くならないように表示情報Ｂの表示の終了位置を後方にずらすことが好ましい。
区間Ｉ〜III：表示情報Ａ
区間III〜IV：表示情報Ｂ
なお、図５（ａ）と同様に先に表示される表示情報Ａに「優先割り込み禁止」を登録してもよい。同じ優先順位では優劣が生じないからである。
区間Ｉ〜II：優先割込み禁止
区間II〜IV：表示情報Ｂ
なお、ビーコン発信装置５０から受信するＶＩＣＳ情報は所定の時間だけ表示されるのに対し、案内情報は例えば交差点８０の手前○○〔ｍ〕というように地物や施設からの距離に従い表示される。距離に従い表示される表示情報は、例えば、学校６０等の施設を知らせる施設情報、交差点８０などの地形を知らせる案内情報、であり、所定の時間だけ表示される表示情報は、例えばＶＩＣＳ情報や周辺情報である。なお、周辺情報は内容によっては距離に従い表示される。
【００３９】
距離に従い表示される表示情報は表示区間も固定的に取り扱うことができる。このため、規定された時間だけ表示される表示情報と、他の表示情報が表示される区間が重複するか否かは、例えば、表示される時間を距離（以下、換算区間という）に置き換えて判定する。規定された表示時間にその道路の法定速度を乗じれば、換算区間が得られるので図５で説明したようなスケジューリングが可能となる。
【００４０】
なお、法定速度でなく車両４０の車速やＶＩＣＳ情報が含むリンク旅行時間から通過するための速度を算出して、換算区間を算出してもよい。車両４０の車速を例えば表示情報をスケジューリングする時の車速としても、多くの場合、実際に画面切り替え地物を通過する際の車速と大きく異ならないと考えられる。また、車両４０が画面切り替え地物を通過するまでにスケジューリングできればよいので、画面切り替え地物の直前の車速としてもよい。
【００４１】
図４に戻り、表示情報の表示について説明する。図５（ｂ）や図５（ｄ）で説明したように、前方の表示情報を表示する区間が、スケジューリングしない場合よりも前方にずれる場合がある。この場合、表示・音声変更部３５は、表示情報を変更する。
【００４２】
例えば、案内情報は「交差点まで３００メートルです」等の距離を含む場合があるので、このような表示情報の表示が前方にずれる場合、表示の開始位置に一致する距離に表示情報を変更する。表示の開始位置は、図５（ｂ）（ｄ）の位置IIIであるのでナビゲーション装置１００にとって既知である。したがって、表示・音声変更手段は例えば上記の案内情報を「交差点まで２５０メートルです」に変更する。
【００４３】
なお、表示情報と連動して音声メッセージも出力される場合、表示情報だけ変更してもよいし、表示情報と一致するように音声メッセージを変更してもよい。表示情報だけ変更する場合、音声メッセージは先に出力されるので、乗員が右左折する交差点８０に早期に気づくことができる。表示情報に連動して音声メッセージを変更する場合、例えば交差点８０までの距離を統一できるので乗員に通知する情報量を低減できる。
【００４４】
表示制御部３４は走行中に表示スケジュールを参照して、画面切り替え地物による表示情報の切り替えを制御する。また、表示・音声変更部３５が表示情報や音声メッセージを変更する場合は、変更後の表示情報を表示し及び／又は音声メッセージを出力する。
【００４５】
図６（ａ）は、車両４０の走行位置と表示装置に表示される割り込み情報の関係を説明する図を示す。車両４０が走行する予測ルートには、ビーコン発信装置５０、交差点８０、路側装置７０、及び、学校６０の画面切り替え地物が存在する。なお、路側装置７０から学校６０までの道路は渋滞している。
【００４６】
これら画面切り替え地物の位置はビーコン発信装置位置ＤＢ１９、路側装置位置ＤＢ２１及び地図ＤＢ１４に登録されているので、図６（ｂ）に示すように表示情報スケジューリング部３３は予測ルートにおける画面切り替え地物の位置を検出でき、各表示情報の優先順位に従い表示情報をスケジューリングすることが可能となる。
【００４７】
なお、一例として各表示情報の優先順位（数値が小さいほど優先順位が高い）は次の通りであるとする。この案内情報の優先順位は目的地までのルートが設定されている場合である。実際には周辺情報同士等、同じ表示情報同士に優先順位があるが、優先順位に従えば同様に表示スケジュールを生成できる。
１．周辺情報
２．案内情報
３．ＶＩＣＳ情報、施設情報
表示情報のスケジューリングの手順について図７のフローチャート図に基づき説明する。図７のフローチャート図は、例えばイグニッションがオンになるとスタートし以降は例えば１００〔ｍ〕走行する度に繰り返し実行される。
【００４８】
自車位置予測部３２は、現在位置と進行方向から前方１０００〔ｍ〕程度の範囲で予測ルートを予測する（Ｓ１０）。分岐がある場合は、走行距離が１０００〔ｍ〕となる全て組み合わせについて予測ルートを予測する。
【００４９】
ついで、表示情報スケジューリング部３３は、予測ルートに存在する画面切り替え地物を検出する（Ｓ２０）。すなわち、表示情報スケジューリング部３３は予測ルートに存在するビーコン発信装置５０をビーコン発信装置位置ＤＢ１９から、路側装置７０を路側装置位置ＤＢ２１から、地図連携対象を地図ＤＢ１４からそれぞれ検出する。
【００５０】
ついで、表示情報スケジューリング部３３は、画面切り替え地物に対応する表示情報が重複する区間があるか否かを判定する（Ｓ３０）。重複する区間がない場合（Ｓ３０のＮｏ）、表示スケジュールに登録する必要がないので図７の処理は終了する。
【００５１】
表示情報が重複する区間がある場合（Ｓ３０のＹｅｓ）、表示情報スケジューリング部３３は進行方向にたいし手前の表示情報の方が優先順位が低いか否かを判定する（Ｓ４０）。図６（ｂ）では、ＶＩＣＳ情報と案内情報、及び、周辺情報と施設情報、について優先順位が比較される。この結果、ＶＩＣＳ情報については「Ｙｅｓ」と判定され、周辺情報については「Ｎｏ」と判定される。
【００５２】
手前の表示情報の優先順位が低い場合（Ｓ４０のＹｅｓ）、表示情報スケジューリング部３３は、表示スケジュールに、優先順位が低い表示情報が表示される区間を優先割り込み禁止に設定し、優先順位が高い表示情報は元の表示区間に設定する（Ｓ５０）。したがって、図６（ｂ）ではＶＩＣＳ情報は優先割り込み禁止になり、案内情報はスケジューリングしない元の表示区間に表示されるよう設定される。
【００５３】
手前の表示情報の優先順位が低くない場合（Ｓ４０のＹｅｓ）、表示情報スケジューリング部３３は、表示スケジュールに、優先順位が高い表示情報は元の区間に設定し、優先順位が低い表示情報は優先順位の高い表示情報に続いて表示するようスケジューリングする（Ｓ６０）。したがって、周辺情報は元の表示区間に表示されるよう設定され、施設情報は周辺情報に続いて表示されるよう設定される。なお、周辺情報に表示時間が極端に短くなる場合には表示を禁止してもよいし、周辺情報の表示終了位置を前方にずらす。
【００５４】
ついで、表示・音声変更部３５は、表示情報を変更する必要があるか否かを判定する（Ｓ７０）。表示情報を変更する必要がある場合（Ｓ７０のＹｅｓ）、表示・音声変更部３５は表示情報を変更し及び／又は音声メッセージを変更する（Ｓ８０）。例えば、学校６０に対する施設情報が「２００前方はスクールゾーンです」の場合、表示スケジュールにより施設情報の表示開始位置が前方にずれこんだ分に応じて表示情報及び／又は音声メッセージを変更し記憶しておく。上記の表示情報は、例えば「１００前方はスクールゾーンです」に変更される。
【００５５】
以上のようにして設定された表示スケジュールに従い、表示制御部３４は表示情報をスケジューリングして表示情報を表示する。図８は、表示制御部３４が表示スケジュールに基づき表示情報を表示する手順を示すフローチャート図である。図８のフローチャート図は、所定のサイクル時間毎に繰り返し実行される。
【００５６】
表示制御部３４は走行中、画面切り替え地物が検出されるか否かを繰り返し判定する（Ｓ１１０）。画面切り替え地物がビーコン発信装置５０や路側装置７０の場合、敷設された位置を通過得することでこれらの画面切り替え地物が検出され、交差点８０等の地形や学校６０等の施設の場合、地図ＤＢ１４を参照することでこれらの地図連携対象が検出される。すなわち、画面切り替え地物の検出タイミングは表示情報をスケジューリングしない場合と同様である。
【００５７】
画面切り替え地物が検出された場合（Ｓ１１０のＹｅｓ）、表示制御部３４は表示スケジュールを参照し（Ｓ１２０）、表示スケジュールによれば画面切り替え地物を検出した位置で表示情報の表示が許可されているか否かを判定する（Ｓ１３０のＹｅｓ）。表示が許可されている場合（Ｓ１３０のＹｅｓ）、表示制御部３４は表示情報をディスプレイ２３に表示する（Ｓ１４０）。
【００５８】
画面切り替え地物を検出した位置で表示情報の表示が許可されていない場合（Ｓ１３０のＮｏ）、表示スケジュールを参照し、画面切り替え地物を検出した位置よりもより前方では表示が許可されているか否かを判定する（Ｓ１５０）。この判定がＹｅｓとなるのはより優先順位の高い表示情報が既に表示されている場合である。表示制御部３４は、表示・音声変更部３５が生成した表示情報を、また、必要であれば音声メッセージを読み出す（Ｓ１６０）。そして、表示制御部３４は表示が許可された位置まで走行したら、表示情報を表示し、音声メッセージを出力する（Ｓ１７０）。
【００５９】
ステップＳ１５０に戻り、画面切り替え地物を検出した位置よりもより前方でも表示が許可されていない場合（Ｓ１５０のＮｏ）、すなわち表示情報に「割り込み禁止」が登録されている場合、表示制御部３４は検出した画面切り替え地物にかかる表示情報の表示を禁止する（Ｓ１８０）。これにより、走行中、不規則に出現する画面切り替え地物により表示情報が短時間で切り替わることを防止できる。
【００６０】
また、表示を禁止された画面切り替え地物の次の画面切り替え地物による表示区間に到達したら、次の画面切り替え地物による表示処理を実行する（Ｓ１９０）。図５（ａ）に示したように、優先順位の高い画面切り替え地物が実際には検出されない場合、表示制御部３４は表示を禁止された画面切り替え地物にかかる表示情報を表示する。したがって、表示が禁止された表示情報を表示することができる。
【００６１】
以上説明したように、本実施形態のナビゲーション装置１００によれば、予め表示情報をスケジューリングしておくことで、ディスプレイ２３に表示される表示情報が短時間で切り替わったり上書きされることを防止し、より自然に見やすい割込み表示を実現することができる。表示情報の切り替えをスケジューリングできるので、切り替え前の表示情報をフェードアウトしたり、切り替え後の表示情報をフェードインする等、画面の表示態様をよりスムースにすることができる。
【図面の簡単な説明】
【００６２】
【図１】ＶＩＣＳセンタから配信されたＶＩＣＳ情報の表示切り替えの一例を説明する従来図である。
【図２】ナビゲーション装置による画面表示制御を説明する図である
【図３】ナビゲーション装置のハードウェアブロック図の一例である。
【図４】ナビ制御部のブロック図の一例である。
【図５】優先順位に応じて表示情報のスケジューリングについて図５に基づき
【図６】車両の走行位置と表示装置に表示される割り込み情報の関係を説明する図である。
【図７】表示情報のスケジューリングの手順を示すフローチャート図である。
【図８】表示制御部が表示スケジュールに基づき表示情報を表示する手順を示すフローチャート図である。
【符号の説明】
【００６３】
１４      地図ＤＢ
１７      ＶＩＣＳ受信装置
１８      路車間通信部
２３      ディスプレイ
３１      情報提供位置取得部
３２      自車位置予測部
３３      表示情報スケジューリング部
３４      表示制御部
３５      表示・音声変更部
４０      車両
５０      ビーコン発信装置
６０      学校
７０      路側装置
【図１】
0005034997.tif 000002
【図２】
0005034997.tif 000003
【図３】
0005034997.tif 000004
【図４】
0005034997.tif 000005
【図５】
0005034997.tif 000006
【図６】
0005034997.tif 000007
【図７】
0005034997.tif 000008
【図８】
0005034997.tif 000009